(57)【特許請求の範囲】
【請求項１】
施設における順番待ちを管理する順番管理システムであって、
前記施設において順番待ちを登録した利用者の、順番待ちのステータス情報を保持する順番待ちリストを記憶する記憶部と、
順番が到来し、前記ステータスが呼出中に更新された利用者について、順番待ちを自動キャンセルするか否かを判断するキャンセル判断部と、
順番待ちを自動キャンセルすると判断された利用者のステータスを取消に更新するキャンセル処理部と、を備え、
前記キャンセル判断部は、
前記ステータスが呼出中に更新された後、当該利用者よりも後の順番の一定数の組のステータスが案内済に更新されても、当該利用者のステータスが更新されない場合には、順番待ちを自動キャンセルすると判断する、順番管理システム。
【請求項２】
前記キャンセル判断部は、
前記ステータスが呼出中に更新されてから、あらかじめ設定された時間を経過してもステータスが更新されない利用者は、順番待ちを自動キャンセルすると判断する、請求項１に記載の順番管理システム。
【請求項３】
前記キャンセル判断部は、
順番待ちを自動キャンセルすると判断された利用者の所持するユーザ端末に、キャンセルの要否を確認する通知を行い、
前記ユーザ端末から受信した前記通知に対する回答内容に応じて、自動キャンセルを実行するか、保留にするかを決定する、請求項１または２に記載の順番管理システム。
【請求項４】
前記キャンセル判断部は、
自動キャンセル対象外のフラグが付いている利用者については、自動キャンセルの対象としない、請求項１から３のいずれか１項に記載の順番管理システム。
【請求項５】
施設における順番待ちを管理する順番管理装置であって、
前記施設において順番待ちを登録した利用者の、順番待ちのステータス情報を保持する順番待ちリストを記憶する記憶部と、
順番が到来し、前記ステータスが呼出中に更新された利用者について、順番待ちを自動キャンセルするか否かを判断するキャンセル判断部と、
順番待ちを自動キャンセルすると判断された利用者のステータスを取消に更新するキャンセル処理部と、を備え、
前記キャンセル判断部は、
前記ステータスが呼出中に更新された後、当該利用者よりも後の順番の一定数の組のステータスが案内済に更新されても、当該利用者のステータスが更新されない場合には、順番待ちを自動キャンセルすると判断する、順番管理装置。
【請求項６】
施設における順番待ちを管理するコンピュータを、
前記施設において順番待ちを登録した利用者の、順番待ちのステータス情報を保持する順番待ちリストを記憶する記憶部と、
順番が到来し、前記ステータスが呼出中に更新された利用者について、順番待ちを自動キャンセルするか否かを判断するキャンセル判断部と、
順番待ちを自動キャンセルすると判断された利用者のステータスを取消に更新するキャンセル処理部として、機能させ、
前記キャンセル判断部は、
前記ステータスが呼出中に更新された後、当該利用者よりも後の順番の一定数の組のステータスが案内済に更新されても、当該利用者のステータスが更新されない場合には、順番待ちを自動キャンセルすると判断する、プログラム。
【発明の詳細な説明】
【技術分野】
【０００１】
本発明は、順番管理システム、順番管理装置、およびプログラムに関する。
【背景技術】
【０００２】
従来、レストランやアミューズメント施設、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から、施設の混雑状況の確認や、順番待ち予約の申し込みをできることが記載されている。また、案内の順番が近づいたら電話やメールで通知することが記載されている。
【先行技術文献】
【特許文献】
【０００４】
【特許文献１】特開２００５−５０００２号公報
【発明の概要】
【発明が解決しようとする課題】
【０００５】
従来、順番が来て呼び出しをした利用者がしばらくたっても現れない場合には、従業者等の判断で順番待ちをキャンセルしていた。しかし、キャンセルした直後に現れて苦情を言う利用者などもおり、適切なキャンセルのタイミングを判断することは難しかった。
【０００６】
本発明は、以上説明した事情を鑑みてなされたものであり、適切なタイミングでの順番待ちの自動キャンセルを実現することを目的の一つとする。
【課題を解決するための手段】
【０００７】
本発明の一実施形態に係る順番管理システムは、施設における順番待ちを管理する順番管理システムであって、前記施設において順番待ちを登録した利用者の、順番待ちのステータス情報を保持する順番待ちリストを記憶する記憶部と、順番が到来し、前記ステータスが呼出中に更新された利用者について、順番待ちを自動キャンセルするか否かを判断するキャンセル判断部と、順番待ちを自動キャンセルすると判断された利用者のステータスを取消に更新するキャンセル処理部と、を備えたものである。
【０００８】
本発明の一実施形態に係る順番管理装置は、施設における順番待ちを管理する順番管理装置であって、前記施設において順番待ちを登録した利用者の、順番待ちのステータス情報を保持する順番待ちリストを記憶する記憶部と、順番が到来し、前記ステータスが呼出中に更新された利用者について、順番待ちを自動キャンセルするか否かを判断するキャンセル判断部と、順番待ちを自動キャンセルすると判断された利用者のステータスを取消に更新するキャンセル処理部と、を備えたものである。
【０００９】
本発明の一実施形態に係るプログラムは、施設における順番待ちを管理するコンピュータを、前記施設において順番待ちを登録した利用者の、順番待ちのステータス情報を保持する順番待ちリストを記憶する記憶部と、順番が到来し、前記ステータスが呼出中に更新された利用者について、順番待ちを自動キャンセルするか否かを判断するキャンセル判断部と、順番待ちを自動キャンセルすると判断された利用者のステータスを取消に更新するキャンセル処理部として、機能させるものである。
【発明の効果】
【００１０】
本発明によれば、適切なタイミングでの順番待ちの自動キャンセルを実現することができる。
【図面の簡単な説明】
【００１１】
【図１】本発明の実施形態に係る順番管理システム１の概略構成を示す図。
【図２】本発明の実施形態に係る順番管理システム１における順番待ちの受付登録処理のフローチャート。
【図３】本発明の実施形態に係る順番管理システム１による順番待ちリストの更新処理のフローチャート。
【図４】本発明の実施形態に係る順番管理端末２００に表示される管理画面を例示する図。
【図５】本発明の実施形態に係る順番管理システム１による自動キャンセル処理のフローチャート。
【図６】本発明の実施形態に係るユーザ端末３００に通知されるキャンセル要否確認メッセージを例示する図。
【発明を実施するための形態】
【００１２】
以下、本発明の実施形態について図面を参照しつつ詳細に説明する。なお、同一の要素には同一の符号を付し、重複する説明を省略する。
【００１３】
本実施形態では、レストランＡにおける順番待ち管理の例について説明するが、その他、アミューズメント施設、ショッピングモール、イベント会場、病院、銀行、役所など、施設利用者の順番待ちの管理を行うあらゆる施設に適用できる。
【００１４】
図１は、本実施形態に係る順番管理システム１の概略構成を示す図である。図１に示すように、順番管理システム１は、管理センター等に設置された順番管理サーバ（順番管理装置）１００と、施設の入口付近などに設置された順番管理端末２００と、ユーザ端末３００を含んでいる。順番管理サーバ１００は、順番管理端末２００およびユーザ端末３００と通信ネットワークＮを介して接続されている。なお、図１には１つの順番管理端末２００が図示されているが、実際には１つの施設で複数の順番管理端末２００が使用されていてもよい。
【００１５】
施設（ここではレストランＡ）の利用者は、順番管理端末２００やユーザ端末３００を操作して、施設への順番待ちを登録することができる。また、ユーザ端末３００を介して待ち時間を確認したり、順番が来た際に呼出を受けたりすることができる。また、施設の従業者等は、順番管理端末２００を操作して、順番待ちリストに登録されている順番待ち組のステータスを更新することができる。
【００１６】
順番管理サーバ１００は、順番管理端末２００を介して登録される順番待ちを施設毎に管理する。本実施形態では、１つの施設の順番待ちの管理を例に説明するが、順番管理サーバ１００は、実際には複数の施設に設置されている順番管理端末２００と接続され、各施設の順番待ちを管理している。順番管理サーバ１００は、汎用的なコンピュータによって構成され、そのコンピュータにおいてサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１７】
順番管理サーバ１００は、施設ごとに順番管理端末２００を管理するための管理データベース（記憶部）１１０と、プロセッサ（キャンセル判断部、キャンセル処理部）１２０とを備えている。管理データベース１１０は、クライアント管理テーブルＴＡ１と、ステータス管理テーブルＴＡ２を備えている。
【００１８】
クライアント管理テーブルＴＡ１には、施設毎に、順番管理端末２００に対して付与されている固有のＩＤとパスコード（アカウント）が登録されている。クライアント管理テーブルＴＡ１の１レコードには、例えば「レストランＡ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用してもよいが、例えば一定の条件に従い、複数のＩＤとパスワードを使い分けるようにしてもよい。
【００１９】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、受付項目「テラス席」、人数「２」、ステータス「呼出中」、キャンセル対象外フラグ「０」等の情報が含まれている。その他、氏名、連絡先のメールアドレス、電話番号などの情報も含むことができる。
【００２０】
ステータスには、順番到来前の状態である「待ち中」、順番が来たことを知らせた状態である「呼出中」、順番が来た者を実際に席に案内した状態である「案内済」、さらに順番待ちをキャンセルした状態である「取消済」等が含まれる。ステータスとしてどのような項目を設定するかは各施設の管理者等が適宜設定および変更可能となっている。受付項目は、ここでは希望の席の種類（テーブル、カウンター、テラス席等）の種類である。
【００２１】
キャンセル対象外フラグは、当該順番待ち組を自動キャンセルの対象から外すか否かを示すフラグである。キャンセル対象外フラグ「１」の場合には、後述するように、自動キャンセルの条件を満たしている場合でも、自動キャンセルを行わずに順番待ちリストにそのまま残しておく。
【００２２】
なお、順番待ちリストに含める情報は、各施設の管理者等が適宜設定および変更可能となっている。順番待ちリストの内容は、順番管理端末２００から送信される順番待ちリストへの新規登録情報、またはステータスの更新情報（詳細は後述）に基づいて更新される。
【００２３】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００と連携して順番待ちを管理するためのコンピュータプログラム（順番管理アプリケーション）も実行する。
【００２４】
通信ネットワークＮは、順番管理サーバ１００と順番管理端末２００、ユーザ端末３００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２５】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。順番管理端末２００は、利用者が順番待ちの受付登録のために利用する端末（受付端末）や、従業者が順番待ちリストの内容の確認や、各順番待ち組のステータスの更新操作に用いる端末（管理端末）として利用することができる。
【００２６】
図１に示すように、順番管理端末２００は、プロセッサ２１０と、入力装置２２０と、表示装置２３０と、通信インタフェース２４０と、記憶資源２５０を備えている。順番管理端末２００は、施設に来た利用者や、施設の従業者がタッチパネルなどの入力装置２２０を操作することで、順番待ちリストへの登録や更新等の入力を受け付ける。
【００２７】
プロセッサ２１０は、算術演算、論理演算、ビット演算等を処理する算術論理演算ユニット（ＣＰＵなど）および各種レジスタから構成され、記憶資源２５０に格納されている各種プログラムを実行することで順番管理端末２００の各部を中枢的に制御する。各種レジスタは、例えば、プログラムカウンタ、データレジスタ、命令レジスタ、汎用レジスタ等である。
【００２８】
入力装置２２０は、順番待ちリストへの登録や順番待ちリストからの消込み等の入力を受け付けるための各種操作ボタンやタッチパネルを備えている。
【００２９】
表示装置２３０は、順番待ちリストや、受付画面やステータス管理画面を表示するための装置であり、例えば液晶ディスプレイにより構成される。
【００３０】
通信インタフェース２４０は、通信ネットワークＮに接続し、通信ネットワークＮを介して他の装置と通信をするためのハードウェアモジュールである。通信インタフェース２４０は、例えば、ＩＳＤＮモデム、ＡＤＳＬモデム、ケーブルモデム、光モデム、ソフトモデム等の変調復調装置である。
【００３１】
記憶資源２５０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。
【００３２】
記憶資源２５０には、オペレーティングシステムプログラム、ドライバプログラム、各種データ等が格納される。ドライバプログラムとしては、例えば、通信インタフェース２４０を制御するための通信インタフェースドライバプログラム等がある。また、記憶資源２５０には、これら各種プログラムや各種データのほか、プロセッサ２１０が実行することにより、順番管理サーバ１００と連携して順番待ちを管理するためのコンピュータプログラム（アプリケーション）が記憶されている。
【００３３】
ユーザ端末３００は、施設の利用者が携帯する、スマートフォン、携帯電話、タブレット端末、ウェアラブルデバイス、ノートＰＣ（パーソナルコンピュータ）などの端末である。ユーザ端末３００は、プロセッサ３１０、各種操作ボタンやタッチパネルなどの入力装置３２０、液晶ディスプレイなどの表示装置３３０、通信ネットワークＮに接続するための通信インタフェース３４０、ディスクドライブまたは半導体メモリ（ＲＯＭ、ＲＡＭなど）などの記憶資源３５０を備えている。記憶資源３５０には、これら各種プログラムや各種データのほか、順番管理システム１のサービスを利用するためのコンピュータプログラム（専用アプリ）が記憶されている。
【００３４】
（順番待ちの受付登録）
次に、順番管理システム１による順番待ちの受付登録処理について図２のフローチャートを用いて説明する。受付登録を行う利用者は、施設内に設置された順番管理端末２００を操作して受付登録を行う。
【００３５】
まず、順番管理端末２００は通信インタフェース２４０を介して、順番管理サーバ１００からステータス管理テーブルＴＡ２に登録されている順番待ちリストの情報を受信する（ステップＳ１０１）。
【００３６】
順番管理端末２００は、受信した順番待ちリストの情報に基づいて、表示装置２３０に受付案内画面を表示する（ステップＳ１０２）。受付案内画面には、例えば、現在の順番待ち組数や予想待ち時間などが表示される。また、受付登録をする場合にタッチするボタンと、タッチ操作を促すメッセージなどが表示される。
【００３７】
利用者が、表示装置２３０に表示されたボタンにタッチすると、受付登録画面が表示される（ステップＳ１０３）。受付登録画面には、受付登録に必要な項目の選択や入力を促すメッセージや、席の種類の選択ボタン、利用人数の入力ボタンなどが表示される。また、順番が到来した際に、電話やメールによる呼出しを希望する利用者は、受付登録画面において、連絡先の電話番号またはメールアドレスを登録することができる。
【００３８】
表示された受付登録画面に対して利用者が操作入力を行い、順番待ちの受付登録に必要な情報（席の種類、利用人数、連絡先等）の入力を完了すると、順番管理端末２００は、新規登録情報として、順番管理サーバ１００に送信する（ステップＳ１０４）。
【００３９】
順番管理サーバ１００は、順番管理端末２００から新規登録情報を受信すると、受信した新規登録情報に基づいて、その施設の順番待ちリストに順番待ちを１組新たに追加する処理を行い、ステータス管理テーブルＴＡ２を更新する（ステップＳ１０５）。
【００４０】
順番管理サーバ１００は、順番管理端末２００に受付完了画面を表示させる（ステップＳ１０６）。受付完了画面には、受付番号や、現時点での予想待ち時間等が表示される。また、順番券を受け取るよう促すメッセージが表示され、利用者は、順番管理端末２００に接続されたプリンタから印刷される順番券を受け取ることができる。
【００４１】
順番券には、受付番号と対応付けられた二次元コードが印刷されている。利用者が自身のユーザ端末３００を利用して順番券に印刷された二次元コードを読み取ると、ユーザ端末３００の表示装置３３０に、現在の順番待ち状況（現状の待ち組数や予想待ち時間など）が表示される。また、利用者が、二次元コードを読み込むことによって表示される案内にしたがって電話番号やメールアドレスを入力することにより、順番が到来した際に電話またはメールによるメッセージを受信したり、順番が近づいたときにリマインドメッセージを受信したりすることができる。
【００４２】
（順番待ちリストの更新）
次に、順番管理システム１による順番待ちリストの更新処理について図３のフローチャートを用いて説明する。順番待ちリストの各レコードの内容は、施設の従業者が順番管理端末２００を操作してステータスの更新処理を行った際などに更新される。ステータスの更新処理には、「取消」、「変更」、「呼出」、「案内」が含まれる。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせたりした状態であることを意味し、「案内」は、順番が来た組を実際に案内した状態であることを意味する。
【００４３】
まず、順番管理端末２００は通信インタフェース２４０を介して、順番管理サーバ１００からステータス管理テーブルＴＡ２に登録されている順番待ちリストの情報を受信する（ステップＳ２０１）。
【００４４】
順番管理端末２００は、受信した順番待ちリストの情報に基づいて、表示装置２３０に管理画面を表示する（ステップＳ２０２）。図４は、順番管理端末２００に表示される管理画面を例示する図である。図４に示すように、順番管理端末２００の管理画面には、順番待ちリストに登録されている順番待ち組の一覧が表示される。
【００４５】
従業者は、順番待ちリストの中から、順番が到来した組（選択した席に空きができて呼出の対象となった組）に対し、メールや電話等で呼出連絡を行うと共に、当該組のステータスを「呼出中」に更新する処理を行う（ステップＳ２０３）。
【００４６】
ステータスの更新処理を行う場合、順番管理端末２００に表示された順番待ちリストの中から、更新対象の順番待ち組（受付番号「５」の行）を選択し、選択した順番待ち組に対してステータスの更新処理を行う。例えば、受付番号「５」の組のステータスを「呼出中」に更新する場合には、受付番号「５」の行を右から左へとスワイプし、「取消」、「変更」、「呼出」、「案内」を示す操作ボタン群を表示させる。従業者は、所望の操作ボタン（例えば「呼出」）をタップすることで、ステータスの更新操作を行う。
【００４７】
ステータスの更新操作が行われると、更新対象の順番待ち組を特定する情報（例えば受付番号「５」）と更新処理の情報（例えば「呼出」）が、順番管理端末２００から通信ネットワークＮを介して順番管理サーバ１００に送信される（ステップＳ２０４）。
【００４８】
順番管理サーバ１００は、受信した情報に基づき順番待ちリストを更新する。例えば、受付番号「５」の順番待ち組のレコードのステータスが「呼出中」に更新される（ステップＳ２０５）。なお、「変更」、「取消」、「案内」の処理を行う場合にも、従業者が順番管理端末２００を操作して同様の流れで行うことができる。
【００４９】
（キャンセル対象外フラグの更新）
各順番待ち組のキャンセル対象外フラグの更新は、施設の従業者が順番管理端末２００を操作して行う。具体的には、管理画面に表示された順番待ちリストの中から、対象の順番待ち組を選択し、選択した順番待ち組に対してキャンセル対象外フラグを「１」に設定する操作を行う。キャンセル対象外フラグを「１」にする例としては、当該利用者から、公共交通機関の遅延（オンラインでの順番待ち登録の場合）や、同行者の急な体調不良等、やむを得ない理由で送れる旨の連絡を受けた場合などである。
【００５０】
（自動キャンセル処理）
次に、順番管理システム１による自動キャンセル処理について図５のフローチャートを用いて説明する。順番管理サーバ１００は、順番待ちリストに登録されている順番待ち組について、呼出後、所定の条件が満たされても呼出に応じない場合には、自動的に順番待ちを取消にする処理を行う。具体的には、一定時間経過しても現れない場合や、順番が後ろの組を一定組数先に案内しても現れない場合などが自動キャンセルの対象となる。
【００５１】
まず、順番管理サーバ１００は、順番待ちリストに登録されている組のうち、ステータスが「呼出中」の組について、直近のステータスの更新時刻（ステータスが「呼出中」に更新された時刻）から、あらかじめ設定された時間（例えば、１５分）が経過しているか否かを判定する（ステップＳ３０１）。設定時間を経過している場合には（ステップＳ３０１：ＹＥＳ）、ステップＳ３０３に進む。
【００５２】
設定時間を経過していない場合には（ステップＳ３０１：ＮＯ）、当該組よりも順番が後ろの組（後に呼出を受けた組）のうち、ステータスが既に「案内済」になってる組の数が、一定数以上（例えば、４組以上）あるか否かを判定する（ステップＳ３０２）。先に案内された組が一定数以上ある場合には（ステップＳ３０２：ＹＥＳ）、ステップＳ３０３に進む。
【００５３】
ステップＳ３０３では、順番管理サーバ１００は、当該順番待ち組のキャンセル対象外フラグが「１」であるか否かを判定する。キャンセル対象外フラグが「１」である場合には（ステップＳ３０３：ＹＥＳ）、順番管理サーバ１００は、自動キャンセルを行わずに処理を終了する。一方、キャンセル対象外フラグが「０」である場合には（ステップＳ３０３：ＮＯ）、順番管理サーバ１００は、自動キャンセル処理を行う（ステップＳ３０４）。具体的には、順番待ちリストの当該順番待ち組のステータスを「取消済」に更新する。
【００５４】
なお、自動キャンセルの条件が成立したと判断された場合（ステップＳ３０１：ＹＥＳまたはステップＳ３０２：ＹＥＳ）、まず当該順番待ち組のユーザ端末３００にキャンセル要否を確認する通知を行うようにしてもよい。例えば、ユーザ端末３００に図６に示すようなメッセージを送信し、利用者が「キャンセルしない（５分以内に行く）」を選択した場合には、自動キャンセルは行わずに呼出中のまま残すようにしてもよい。なお、キャンセル要否の確認は自動電話を利用して行ってもよい。
【００５５】
以上のように、本実施形態によれば、呼出後に所定条件が成立した場合には、当該順番待ち組を自動的にキャンセルするようにした。これにより、適切なタイミングでの順番待ちの自動キャンセルを実現することができる。
【００５６】
具体的には、呼出後一定時間が経過しても呼出に応じない場合や、後ろの組を一定数先に案内しても現れない場合には、自動キャンセルとするようにした。これにより、後ろで待っている利用者にも迷惑をかけず、また、一定の条件のもとで自動キャンセルにすることで、キャンセル扱いとなった利用者に対して説明がしやすくなる。
【００５７】
また、自動キャンセルの条件が成立したタイミングで、一旦利用者にキャンセル要否を確認するようにしたので、自動キャンセルを行った直後に当該利用者が現れてトラブルが発生するような事態を避けることができる。
【００５８】
また、やむを得ない事情で送れることが分かっている場合には、キャンセル対象外グラフを立てて管理し、自動キャンセルを行わないようにした。これにより、自動キャンセルの対象外の組を除外し、適切な自動キャンセルを行うことができる。
【００５９】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００６０】
１…順番管理システム
１００…順番管理サーバ
１１０…管理データベース
１２０…プロセッサ
２００…順番管理端末
２１０…プロセッサ
２２０…入力装置
２３０…表示装置
２４０…通信インタフェース
２５０…記憶資源
３００…ユーザ端末
３１０…プロセッサ
３２０…入力装置
３３０…表示装置
３４０…通信インタフェース
３５０…記憶資源
ＴＡ１…クライアント管理テーブル
ＴＡ２…ステータス管理テーブル
Ｎ…通信ネットワーク
【要約】
【課題】適切なタイミングでの順番待ちの自動キャンセルを実現する。
【解決手段】施設における順番待ちを管理する順番管理システムであって、施設において順番待ちを登録した利用者の、順番待ちのステータス情報を保持する順番待ちリストを記憶する記憶部と、順番が到来し、ステータスが呼出中に更新された利用者について、順番待ちを自動キャンセルするか否かを判断するキャンセル判断部と、順番待ちを自動キャンセルすると判断された利用者のステータスを取消に更新するキャンセル処理部とを備える。
【選択図】図５【図１】
0006906648.tif 000002
【図２】
0006906648.tif 000003
【図３】
0006906648.tif 000004
【図４】
0006906648.tif 000005
【図５】
0006906648.tif 000006
【図６】
0006906648.tif 000007